(57)【要約】      （修正有）【課題】用具を用いずに速やかに取り付けられ、且つ強固に連結できる家具用挿入型連結部材を提供する。【解決手段】雌部１、中間部２及び雄部３を有する。雌部１は、中空筒状に形成されその内壁には位置決め環１３が形成される。中間部２は、軸心に挿入孔２１が開設された中空ロッドであり、中間部２の前部２２のロッド壁には軸方向に沿って切欠溝２２１が開設され、中間部２の前部２２の外縁は、位置決め環１３が形成された雌部１の内壁にマッチする。雄部３は、上記挿入孔２１に挿入可能なロッド状のものであり、その直径が上記挿入孔２１の孔径にマッチする。【選択図】図２
0003176019.tif 000002
【実用新案登録請求の範囲】
【請求項１】
家具用挿入型連結部材であって、雌部と中間部と雄部とを有しており、
前記雌部は、中空筒状に形成され、その内壁に位置決め環が形成されており、
前記中間部は、軸心に挿入孔が開設された中空ロッドであり、前記中間部の前部のロッド壁には軸方向に沿って切欠溝が開設され、前記中間部の前部の外縁は、位置決め環が形成された雌部の内壁にマッチしており、
前記雄部は、前記挿入孔に挿入可能なロッド状のものであり、その直径が前記挿入孔の孔径にマッチする、
ことを特徴とする家具用挿入型連結部材。
【請求項２】
前記中間部の後端には、径方向へ凸台が延設されることを特徴とする請求項１に記載の家具用挿入型連結部材。
【請求項３】
前記雄部の後端部には、階段状の底板が設置され、前記底板の前端面が前記凸台の後端面と係合することを特徴とする請求項２に記載の家具用挿入型連結部材。
【請求項４】
前記凸台の外縁には、後方向へ保護壁が凸設され、前記保護壁の高さが前記底板の厚さ以上であることを特徴とする請求項３に記載の家具用挿入型連結部材。  
【請求項５】
前記中間部の前端部には、外径が段々小さくなる中間部ガード部が軸方向に沿って前へ延設されることを特徴とする請求項４に記載の家具用挿入型連結部材。
【請求項６】
前記雄部の前端部には、直径が段々小さくなる雄部ガード部が軸方向に沿って前へ延設されることを特徴とする請求項５に記載の家具用挿入型連結部材。
【請求項７】
前記雌部の外壁には、逆歯が設けられることを特徴とする請求項６に記載の家具用挿入型連結部材。
【請求項８】
前記雌部の後端部には、径方向に沿って位置決め用階段部が凸設されることを特徴とする請求項７に記載の家具用挿入型連結部材。
【請求項９】
前記雄部の後端には、咬合スレッドが形成されることを特徴とする請求項１〜８のいずれか１項に記載の家具用挿入型連結部材。
【請求項１０】
前記位置決め環が雌部の軸心へ突出した凸環状に形成され、前記位置決め環の断面が二つの斜辺を有する台形状に形成されることを特徴とする請求項９に記載の家具用挿入型連結部材。
【請求項１１】
雌部と中間部と雄部とを有する家具用押込型連結部材であって、
前記雌部は、係止孔が設置され、前記係止孔の孔壁に位置決め環が形成されており、
前記中間部は、軸心に挿入孔が開設された中空ロッドであり、前記中間部の前部のロッド壁には軸方向に沿って切欠溝が開設され、前記中間部の前部の外縁が前記係止孔にマッチしており、
前記雄部は、前記挿入孔に挿入可能なロッド状のものであり、その直径が前記挿入孔の孔径にマッチする、
ことを特徴とする家具用押込型連結部材。
【請求項１２】
前記雌部は全体に円柱形に形成され、その中心軸線が前記係止孔の中心軸線に対して垂直であり、雌部が中間部と対向する箇所に、係止孔の中心軸線に対して垂直な平面が設置されることを特徴とする請求項１１に記載の家具用押込型連結部材。
【請求項１３】
前記雌部の先端面は平面に形成され、前記雌部の先端面には調整溝が凹設されることを特徴とする請求項１２に記載の家具用押込型連結部材。  
【請求項１４】
前記中間部の後端部には、径方向に沿って凸台が延設されることを特徴とする請求項１３に記載の家具用押込型連結部材。
【請求項１５】
前記雄部の後端部には、階段状の底板が設置され、前記底板の前端面が前記凸台の後端面と係合することを特徴とする請求項１４に記載の家具用押込型連結部材。
【請求項１６】
前記凸台の外縁には、後方向へ保護壁が凸設され、前記保護壁の高さが前記底板の厚さ以上であることを特徴とする請求項１５に記載の家具用押込型連結部材。
【請求項１７】
前記中間部の前端部には、外径が段々小さくなる中間部ガード部は軸方向に沿って前へ延設されることを特徴とする請求項１６に記載の家具用押込型連結部材。
【請求項１８】
前記雄部の前端部には、直径が段々小さくなる雄部ガード部は軸方向に沿って前へ延設されることを特徴とする請求項１７に記載の家具用押込型連結部材。
【請求項１９】
前記雄部の後端部には咬合スレッドが形成されることを特徴とする請求項１１〜１８のいずれか１項に記載の家具用押込型連結部材。
【請求項２０】
前記雌部の外壁には逆歯が設置されることを特徴とする請求項１９に記載の家具用押込型連結部材。
【請求項２１】
第一取付孔を有する第一パネルと、第二取付孔を有する第二パネルと、第一、第二パネルを連結する家具用挿入型連結部材とを含むパネルユニットであって、
前記家具用挿入型連結部材が雌部と中間部と雄部とを有し、
前記雌部は、前記第一パネルの第一取付孔内に差し込まれ且つ係止孔が設置され、前記係止孔の孔壁に位置決め環が形成され、  
前記中間部は、軸心に挿入孔が開設された中空ロッドであり、前記中間部の前部のロッド壁に軸方向への切欠溝が開設され、前記中間部の前部ロッドは前記第二パネルの第二取付孔を貫通し前記雌部の係止孔に挿入し、前記中間部の前部の外縁は、位置決め環が設けられた係止孔の孔壁にマッチし、
前記雄部は、ロッド体に形成され、前記雄部は前記中間部の挿入孔に挿入され、その直径が前記挿入孔の孔径にマッチする、
ことを特徴とするパネルユニット。
【請求項２２】
前記雌部は、前記取付孔の底に挿入する側には、前記係止孔を密封するためのシール蓋を有することを特徴とする請求項２１に記載のパネルユニット。
【請求項２３】
前記中間部の後端には、径方向に沿って凸台が延設され、前記第二パネルは、前記中間部が位置する側面に凹溝が開設され、前記凹溝は前記凸台を収納することを特徴とする請求項２１に記載のパネルユニット。
【請求項２４】
前記雌部は、前記取付孔の孔口に位置する側が後端面であり、前記後端面が前記第一パネルの高さと同じであることを特徴とする請求項２３に記載のパネルユニット。
【請求項２５】
前記雌部の後端面と前記中間部の後端面との距離は前記第二パネルの厚さであることを特徴とする請求項２４に記載のパネルユニット。
【請求項２６】
前記雌部の後端面と前記中間部の凸台との距離は第二パネルの厚さであることを特徴とする請求項２４に記載のパネルユニット。
【請求項２７】
前記中間部に挿入される前記雄部の外壁に、凸点が設けられることを特徴とする請求項２１に記載のパネルユニット。
【請求項２８】
前記中間部の外壁には係止点が設けられることを特徴とする請求項２１に記載のパネルユニット。
【請求項２９】
前記雌部の外壁には逆歯が設けられることを特徴とする請求項２１に記載のパネルユニット。
【考案の詳細な説明】
【技術分野】
【０００１】
本考案は家具用連結部材に関するものであり、特に家具用挿入型連結部材に関するものである。
【背景技術】
【０００２】
最近の板型家具において、主に以下の方法を用いて相互に垂直な家具板同士を固定連結する。
１、木ねじ又は釘を介して部品同士を連結する方法である。この方法は、製品を完全に連結固定できるが、使用者にとって操作しにくく、上手く取り付けるには一定の装着スキルを備える人が必要であり、そして取り外しにくい。工場で取付済みの製品であれば、その製品の梱包サイズは大きいため、輸送不便と輸送費増加となる。  
２、２ｉｎ１プラスチック連結部材を介して部品同士を連結する方法である。この方法は、連結部材が板面から突出して見た目に悪影響し、そして使用者は補助具を用いて取り付ける必要があり、操作しにくく、連結時に隙間を生じやすく、取り外しにくい。
【考案の概要】
【考案が解決しようとする課題】
【０００３】
本考案は、従来技術の問題点を解決するため、用具が要らなくても速やかに取り付けられ且つ強固に連結できる家具用挿入型連結部材を提供することを目的とする。
また、本考案は家具用押込型連結部材を提供する。
また、本考案はパネルユニット（panel unit）を提供する。
【課題を解決するための手段】
【０００４】
上記の目的を実現するために、本考案は以下のようなものを提供する。
【０００５】
本考案に係る家具用挿入型連結部材は、雌部と、中間部と雄部とを有する。上記雌部は、中空筒状に形成され、その内壁には位置決め環が形成される。上記中間部は、軸心に挿入孔が開設された中空ロッドであり、上記中間部の前部のロッド壁には軸方向に沿って切欠溝が開設され、上記中間部の前部の外縁が、位置決め環が形成された雌部の内壁にマッチする。上記雄部は、上記挿入孔に挿入可能なロッド状のものであり、その直径が上記挿入孔の孔径にマッチする。
本考案はさらに以下のものを提供する。上記中間部の後端には径方向へ凸台が延設される。
上記雄部の後端には、階段状の底板は設置され、上記底板の前端面が上記凸台の後端面と係合する。
上記凸台の外縁には、後方向へ保護壁が凸設され、上記保護壁の高さが上記底板の厚さ以上である。
上記中間部の前端には、外径が段々小さくなる中間部ガード部は軸方向に沿って前へ延設される。
上記雄部前端には、直径が段々小さくなる雄部ガード部は軸方向に沿って前へ延設される。
上記雌部の外壁には逆歯が設置される。
上記雌部の後端には、径方向に沿って位置決め用階段部が設置される。
上記雄部後端には咬合スレッドが形成される。
上記位置決め環は、雌部の軸心へ突出した凸環状の位置決め環であり、その断面が、二つの斜辺を有する台形状に形成される。
【０００６】
本考案に係る家具用押込型連結部材は、雌部、中間部及び雄部を有する。上記雌部には、孔壁に位置決め環が形成された係止孔が設置される。上記中間部は、軸心に挿入孔が開設された中空ロッドであり、その前部のロッド壁には軸方向に沿って溝が開設され、その前端部の外縁が上記係止孔にマッチする。上記雄部は、上記挿入孔に挿入可能なロッド状のものであり、その直径が上記挿入孔の孔径にマッチする。
【０００７】
本考案はさらに以下のものを提供する。上記雌部は、円柱形に形成され、その中心軸線が上記係止孔の中心軸線に対して垂直であり、雌部が中間部と対向する箇所に、係止孔の中心軸線に対して垂直な平面が設置される。
ここで、上記雌部の先端面は平面に形成され、上記雌部の先端面には調整溝が凹設される。
ここで、上記中間部の後端には、径方向に沿って凸台が延設される。
ここで、上記雄部の後端には、階段状の底板は設置され、上記底板の前端面が上記凸台の後端面と係合する。
ここで、上記凸台の外縁には、後方向へ保護壁が凸設され、上記保護壁の高さが上記底板の厚さ以上である。
ここで、上記中間部の前端には、外径が段々小さくなる中間部ガード部は軸方向に沿って前へ延設される。
ここで、上記雄部の前端には、直径が段々小さくなる雄部ガード部は軸方向に沿って前へ延設される。
また、上記雄部の後端に咬合スレッドが形成される。
さらに、上記雌部の外壁に逆歯が設けられる。
【０００８】
本考案に係るパネルユニットは、第一取付孔を有する第一パネルと、第二取付孔を有する第二パネルと、第一、第二パネルを連結する家具用挿入型連結部材と、を有する。上記家具用挿入型連結部材が雌部と中間部と雄部とを有する。
上記雌部は、上記第一パネルの第一取付孔内に差し込まれ、且つ上記雌部には係止孔が設置され、上記係止孔の孔壁に位置決め環が形成される。  
上記中間部は、軸心に挿入孔が開設された中空ロッドであり、上記中間部の前部のロッド壁に軸方向への切欠溝が開設される。上記中間部の前部ロッドは上記第二パネルの第二取付孔を貫通し上記雌部の係止孔に挿入し、上記中間部の前部の外縁は、位置決め環が設けられた係止孔の孔壁にマッチする。
上記雄部は、ロッド体に形成され、上記中間部の挿入孔に挿入され、その直径が上記挿入孔の孔径にマッチする。
上記雌部は、上記取付孔の底に挿入する側に、上記係止孔を密封するためのシール蓋を有する。
上記雌部は、上記取付孔の孔口に位置する側が後端面であり、上記後端面が上記第一パネルの高さと同じである。
上記雌部の後端面と上記中間部の後端面との距離は上記第二パネルの厚さである。
上記中間部の後端には径方向に沿って凸台が延設され、上記第二パネルは、上記中間部の後端が位置する側面には凹溝が開設され、上記凹溝は上記凸台を収納する。
上記中間部に挿入される上記雄部の外壁には凸点が設けられる。
上記中間部の外壁には係止点が設けられる。
上記雌部の外壁には逆歯が設けられる。
【考案の効果】
【０００９】
本考案は以下のような効果がある。上記雌部は取付孔内に装着され、中間部が第二パネルに穿設される。取り付け時、上記中間部は上記雌部に挿入され上記位置決め環を通過すると、中間部の前部に開設された上記切欠溝によって、中間部の前部は径方向に縮小できスムーズに雌部に差し込まれる。中間部の前部を雌部に挿入した後、上記第二パネルが板部材と連結され、それから、中間部の挿入孔の後端から上記雄部を挿入し、雄部を完全に上記挿入孔に挿入した後、即ち挿入孔に詰め込んだ後、中間部の前部はさらに径方向に縮小できず、中間部の外壁は雌部内壁と互いに係合し、中間部は上記位置決め環に制限され雌部内から脱出できず、このように家具用板部材を強固に連結できる。本考案は、中間部を雌部に挿入してから雄部を中間部に差し込むことで、用具を要らなくても家具用板部材を連結でき、便利に家具を組み立てることができる。また、位置決め環は中間部に対する位置決め作用があるため、本連結部材を強固に連結できる。
【図面の簡単な説明】
【００１０】
【図１】図１は本考案に係る家具用挿入型連結部材の構造を示す図である。
【図２】図２は本考案に係る家具用挿入型連結部材を分解して示す図である。
【図３】図３は本考案に係る家具用挿入型連結部材の断面図である。
【図４】図４は本考案に係る家具用挿入型連結部材において、中間部が雌部に挿入され、雄部が中間部に挿入されない時の断面構造を示す図である。
【図５】図５は本考案に係る家具用挿入型連結部材の使用中の断面構造を示す図である。
【図６】図６は本考案に係る家具用押込型連結部材が未装着状態下の断面構造を示す図である。
【図７】図７は本考案に係る家具用押込型連結部材の中間部の構造を示す図である。
【図８】図８は本考案に係る押込型家具連結部材が家具部材内に装着された状態を示す図である。
【図９】図９は本考案に係るパネルユニットの第一実施例での構造を示す図である。
【図１０】図１０は本考案に係るパネルユニットの第二実施例での構造を示す図である。
【図１１】図１１は本考案に係るパネルユニットにおける雌部の構造を示す図である。
【図１２】図１２は本考案に係るパネルユニットにおける中間部の構造を示す図である。
【図１３】図１３は本考案に係るパネルユニットにおける雄部の構造を示す図である。
【考案を実施するための形態】
【００１１】
以下、図面に基づいて本考案をさらに説明するが、本考案は、図面での実施例に何ら限定されるものではない。以下、図面に基づいて本考案をさらに説明する。図面１、２、３、４、５は本考案の好適な実施例である。雌部１、中間部２、雄部３を含む家具用挿入型連結部材である。上記雌部１は、中空筒状に形成され、その内壁には位置決め環１３が形成された。上記中間部２は、軸心に挿入孔２１が開設された中空ロッドであり、上記中間部２の前部２２のロッド壁には、軸方向に沿って切欠溝２２１が開設された。上記中間部２の前部２２の外縁は、位置決め環１３が形成された雌部１の内壁にマッチする。上記雄部３は、上記挿入孔２１に挿入可能なロッド状のものであり、その直径が上記挿入孔２１の孔径にマッチする。
【００１２】
本考案は主に家具用パネルに適用される。使用する際、上記雌部１は、第一パネルに予め開設された取付孔に装着され、当該雌部１の後端がパネルの表面と同じ高さである。上記中間部２は第二パネルを貫通し、即ち、上記中間部２の前部２２が第二パネルから伸び出し、即ち第二パネルと第一パネルとの接触面から伸び出し、上記中間部２の後部が上記第一パネルの裏面から露出する。実際使用中、中間部２の後端部の面が第二パネルの裏面から突出しない。
【００１３】
図３、４、５に示めすように、本考案を取り付ける時、上記中間部２を雌部１に挿入し、上記位置決め環１３を通過する時、前部２２に開設された上記切欠溝２２１によって、前部２２は径方向に縮小してスムーズに雌部１に差し込まれる。中間部２の前部２２が雌部１に差し込まれた後、上記第二パネルの表面は第一パネルと相互に接触し、第二パネルは第一パネルと係合する。そして、雄部３を中間部２の挿入孔２１の後端から挿入し、雄部３が完全に上記挿入孔２１に挿入された後、即ち、挿入孔２１に詰め込まれた後、中間部２の前部２２は径方向に縮小できず、中間部２の外壁は雌部１の内壁と係合し、中間部２は位置決め環１３に制限されて雌部１内から脱出できず、このように家具用パネルを固定連結できる。その中、中間部２の後端面から雌部１の後端面までの距離は組み立て対象となる第二パネルの厚さであるので、組み立て対象の第二パネルを第一パネルと強固に固定連結させるため、上記中間部２と雄部３との間の長さについて、中間部２を充分に雌部１に挿入した後、中間部２の後端面から雌部１の後端面までの距離は組み立て対象の第二パネルの厚さとぴったり合わなければならない。第二パネルの厚さが変わると、別の長さの中間部２及び雄部３を交換すればよい。
【００１４】
ここで、上記雌部１と中間部２は高い圧縮強度と強靭度のプラスチック類材料から作られ、上記雄部３は硬性の金属材料から作られる。このように、上記雌部１と中間部２を家具用パネル内に調に取付でき、中間部２も雌部１に順調に挿入できる。上記雄部３が中間部２に挿入された後、硬性の雄部３は、中間部２の前部２２の径方向の縮小を効果的に制限することができる。
【００１５】
図１と図２に示すように、本実施例では、上記中間部２の後端には径方向へ凸台２３が延設されている。
上記雄部３の後端には階段状の底板３１が設置され、上記底板３１の前端面は上記凸台２の後端面と係合する。
上記凸台２３は、主な作用が位置決めであり、上記中間部２が軸方向に沿って前へ滑ることを防止することに用いられる。取付時、第二パネルの裏面には、上記凸台２３にマッチする位置決め溝が開設された。上記凸台２３の前端面は、当該位置決め溝の溝底と係合するので、凸台２３は上記位置決め溝の溝底に制限され、上記中間部２は前へ滑られなく、このため、本考案の信頼性を確保する。同様に、上記雄部３の階段状の底板３１の前端面は凸台２３の後端面と係合するため、底板３１は上記凸台２３の後端面によって制限され、上記雄部３は取付後に、前へ滑ることができない。上記の凸台２３と底板３１は何れも位置決め作用を有する。
【００１６】
図２と図３に示すように、本実施例では、上記凸台２３の外縁に保護壁２３１が後方向へ凸設され、保護壁２３１の高さが上記底板３１の厚さ以上であり、これによって、上記凸台２３は凸台３に凸設された壁２３１とともに雄部３を保護し、硬性の雄部３が家具用パネルと直接に接触することを防ぐ。
【００１７】
図３に示すように、本実施例では、上記中間部２前端には、外径が段々小さくなる中間部ガード部２４が、軸方向に沿って前へ延設された。中間部ガード部２４の前端の直径は後端部の直径より小さく、且つ雌部１の後端部の内径より小さいため、中間部２を雌部１に挿入しようとすると、まずは上記中間部ガード部２４を上記雌部１に挿入し、これによって中間部２を雌部１に順調に挿入でき、本考案の便利性が向上する。
【００１８】
図４に示すように、本実施例では、上記雄部３前端には、外径が段々小さくなる雄部ガード３２が、軸方向に沿って前へ延設された。接続原理と作用は上記の中間部ガード部２４と同じであり、上記雄部ガード部３２によって雄部３を上記挿入孔２１へスムーズに挿入でき、取り付けの便利さを向上させる。
【００１９】
図２に示すように、本実施例では、上記雌部１は、その外壁に逆歯１１が形成され、全部は家具用パネルの取付孔へ押さえられるのである。上記逆歯１１は、上記雌部１と家具板部材との咬合力を高め、雌部１が取付孔から脱出することを防ぎ、雌部１の連結信頼性を向上させる。
【００２０】
図２と図３に示すように、本実施例では、上記雌部１の後端に径方向に沿って位置決め用階段部１２が凸設されている。上記位置決め用階段部１２の外径を雌部ｌの外径よりも大きくすることで、雌部１が板部材取付孔内に取り付けられる。上記位置決め用階段部１２は、後端面が板部材の表面と同じ高さであり、上記雌部１の前への滑りを制限する。
【００２１】
図２と図３に示すように、本実施例では、雄部３の後端に咬合スレッド３３が形成される。この咬合スレッド３３は主に以下の用途があり、即ち、雄部３外縁と上記挿入孔２１内縁との咬合力を増加することと、家具使用中、雄部３が上記中間部２の挿入孔２１から脱出することを防ぐことである。これによって、さらに本考案の信頼性を高める。なお、雄部３の外縁と上記挿入孔２１の内縁との咬合力の向上を実現できる咬合スレッド３３であれば、ストレートスレッドであってもよく、ねじ山又は他の形状のスレッドであってもよい。
【００２２】
図１及び図２に示すように、本実施例では、上記位置決め環１３は、雌部１の軸心ヘ突出した凸環状の位置決め環であり、その断面が、二つの斜辺１３１を有する台形状に形成される。このような形状の位置決め環１３は、有効的に中間部２を雌部ｌ内に固定することができる。そして、取付中、中間部２を雌部１に挿入する時差込不足になる可能があるが、上記挿入孔２１に雄部３を挿入する時、雄部３は前へ推進され中間部２の壁を押さえ、中間部２は上記斜辺１３１に沿って前へ滑っているので、十分に差し込まれることが確保できる。
【００２３】
雌部１、中間部２及び雄部３を有する家具用押込型連結部材である。上記雌部１は、孔壁に位置決め環１３が形成された係止孔１４を有する。上記中間部２は、軸心に挿入孔２１が開設された中空ロッドであり、その前端部２２のロッド壁には軸方向への切欠溝２２１が開設され、前端部２２の外縁が上記係止孔１４にマッチする。上記雄部３は、上記挿入孔２１に挿入できるロッド体であってもよく、その直径が上記挿入孔２１の孔径にマッチする。
【００２４】
図６に示すように、上記雌部１は、全体が円柱形に形成され、その中心軸線が上記係止孔１４の中心軸線と垂直する。上記雌部１が中間部２と対向する箇所には、係止孔１４の中心軸線に対して垂直な平面、即ち上記雌部１の側端面１１２が設けられる。
【００２５】
本考案主に家具用パネル板部材を連結することに適用する。第一パネル４と第二パネル５との連結を例として説明する。上記雌部１は、角に近づく第一パネル４の上表面に嵌設され、雌部１の先端面１１５と側端面１２が、それぞれ第一パネル４の上表面、第一パネル４の側面から食み出ておらず、上記係止孔１４が中間部２と対向する。上記中間部２は、第二パネル５を貫通しており、即ち、その前部２２とその後部が、それぞれ第一パネルとの接触面である第二パネル５表面から、上記第二パネル５の裏面から突き出ている。実際使用中、中間部２の後端面は第二パネル５の裏面から食み出ていない。
【００２６】
図６と８に示されるように、本考案を取り付ける時、上記中間部２は、上記雌部１内に差し込まれ雌部１の上記位置決め環１３を通過すると、中間部２の前部２２に開設された上記切欠溝２２１によって、中間部２の前部２２が径方向に縮小できスムーズに雌部１に挿入される。中間部２の前部２２が雌部１に挿入された後、上記第二パネル５の正面は第一パネル４と相互に接触しているため、第二パネル５は第一パネル４と連結される。そして、雄部３を中間部２の挿入孔２１の後端から挿入し、雄部３が完全に上記挿入孔２１に挿入された後、即ち、挿入孔２１に詰め込まれた後、中間部２の前部２２が径方向に縮小できず、中間部２の外壁と雌部１の内壁と互いに係合し、中間部２は位置決め環１３に制限されて雌部１内から脱出できず、このように家具部材を固定連結できる。ここで、中間部２の後端面から雌部１の後端面までの距離は組み立て対象となる第二パネルの厚さであるので、組み立て対象の第二パネルを第一パネルと強固に固定連結するために、上記中間部２と雄部３との間の長さについて、中間部２を充分に雌部１に挿入した後、中間部２の後端面から雌部１の後端面までの距離は、組み立て対象の第二パネルの厚さとぴったり合わなければならない。第二パネルの厚さが変わると、別の長さの中間部２と雄部３を交換すればよい。
【００２７】
ここで、上記雌部１と中間部２は高い圧縮強度と強靭度のプラスチック類材料から作られ、上記雄部３は硬性の金属材料から作られる。このように、上記雌部１と中間部２を家具用パネル内に挿入でき、中間部２を雌部１に順調に挿入できる。硬性の雄部３によって、上記雄部３が中間部２に挿入された後、中間部２の前部２２の径方向の縮小が効果的に制限される。
【００２８】
ここで、上記雌部１の先端面はちょうど平面であり、先端面１１５には調整溝が凹設される。雌部１を第一パネル４に取り付ける時、上記係止孔１４は完全に上記中間部２と向き合わないことが多いが、用具を上記調整溝１６内に挿入して上記雌部１を回し、雌部１の転動に従って係止孔１４も中間部２と対向する位置までに回る。これにより、取り付けの便利さを向上させる。
【００２９】
図６及び図７に示すように、本実施例では、上記中間部２の後端には径方向に沿って凸台２３が延設される。
上記雄部３の後端部に階段状底板３１が設置され、当該階段状底板３１の前端面が上記凸台２３の後端面と係合する。
上記凸台２３は、主な作用が位置決めであり、上記中間部２が軸方向に沿って前へ滑ることを防止することに用いられる。取付時、上記凸台２３の前端面は、第二パネル５の裏面に開設された且つ上記凸台２３にマッチする位置決め溝の溝底と係合するので、凸台２３は上記位置決め溝の溝底に制限され、上記中間部２は前へ滑られなく、このため、本考案の信頼性を向上させる。同様に、上記雄部３の階段状の底板３１の前端面は凸台２３の後端面と係合するため、底板３１は上記凸台２３の後端面によって制限され、上記雄部３は取付後に、前へ滑ることができない。上記の凸台２３と底板３１は何れも位置決め作用を有する。
【００３０】
図６と図７に示すように、本実施例では、上記凸台２３の外縁には保護壁２３１が後方向へ凸設され、上記保護壁２３１の高が上記底板３１の厚さ以上であり、これによって、上記凸台２３は凸台２３に凸設された保護壁２３１とともに雄部３を保護し、硬性の雄部３が家具用パネルと直接に接触することを防ぐ。
【００３１】
図７に示すように、本実施例では、上記中間部２の前端には、外径が段々小さくなる中間部ガード部２４は、軸方向に沿って前へ延設された。中間部ガード部２４の前端の直径は後端の直径より小さく、且つ雌部１の後端の内径より小さいため、中間部２を雌部１に挿入しようとすると、まずは上記中間部ガード部２４を上記雌部１に挿入し、これによって中間部２を雌部１に順調に挿入でき、本考案の便利性が向上する。
【００３２】
図６に示すように、本実施例では、上記雄部３の前端には、外径が段々小さくなる雄部ガード３２は、軸方向に沿って前へ延設される。原理と作用は上記の中間部ガード部２と同じであり、上記雄部ガード部３２によって雄部３を上記挿入孔２１へスムーズに挿入でき、取り付けの便利さを向上させる。
【００３３】
図６、８に示すように、本実施例では、上記雌部１は、その外壁に逆歯１１が形成される。本考案の雌部１は家具用パネルの取付孔内へ押さえられるのである。上記逆歯１１は、上記雌部１と家具板材との咬合力を高め、雌部１が取付孔から脱出することを防ぎ、雌部１の連結信頼性を向上させる。
【００３４】
図６と図８に示すように、本実施例では、上記雌部１の上端部には径方向に沿って位置決め用階段部１７が凸設されている。上記位置決め用階段部１７の外径を雌部ｌの外径よりも大きくすることで、雌部１を板部材取付孔内に装着できる。上記位置決め用階段部１７は、その上端面が板部材の表面と同じ高さであり、上記雌部１の前へ滑るのを制限することができる。
【００３５】
図６に示すように、本実施例では、上記雄部３の後端は咬合スレッド３３を有する。この咬合スレッド３３は主に以下の用途があり、即ち、雄部３の外縁と上記挿入孔２１の内縁との咬合力を高めることと、家具使用中、雄部３が上記中間部２の挿入孔２１から脱出することを防ぐことである。これによって、さらに本考案の信頼性を高める。なお、雄部３の外縁と上記挿入孔２１の内縁との咬合力の向上を実現できれば、上記咬合スレッド３３はストレートスレッドであってもよく、ねじ山又は他の形状のスレッドであってもよい。
【００３６】
図６及び図７に示すように、本実施例では、上記位置決め環１３は、雌部１の軸心ヘ突出した凸環状の位置決め環１３であり、当該位置決め環１３の断面が、二つの斜辺１３１を有する台形状に形成される。このような形状の位置決め環１３によって、有効的に中間部２を雌部ｌ内に固定することができ、そして、取付中、中間部２を雌部１に挿入する時差込不足になる可能があるが、上記挿入孔２１に雄部３を挿入する時、雄部３が前へ推進され中間部２の壁を押さえ、中間部２が上記斜辺１３１に沿って前へ滑っているので、十分に差し込まれることが確保できる。
【００３７】
図９及び図１０に示すように、パネルユニットは、第一パネル４と、第二パネル５と、第一、第二パネルを垂直に連結する家具用挿入型連結部材とを有する。上記家具用挿入型連結部材は雌部１、中間部２と雄部３を有する。上記雌部ｌには、孔壁に位置決め環１３が形成された係止孔１４が形成される。上記中間部２は、軸心に挿入孔２１が開設された中空ロッドに形成され、上記中間部２の前部２２のロッド壁には軸方向に沿って切欠溝２２１が開設され、上記中間部２の前部２２の外縁が上記係止孔１４にマッチする。上記雄部３は、上記挿入孔２１に挿入できるロッド状に形成され、その直径が上記挿入孔２１の孔径にマッチする。上記第一パネル４は一つの取付孔４１を有し、上記雌部１が当該取付孔４１に挿入され当該取付孔４１にマッチする。上記中間部２は、その前部２２のロッド壁から上記係止孔１４に挿入され上記位置決め環１３を通過する時、前部２２に開設された上記切欠溝２２１によって、中間部２の前部２２が径方向に縮小してスムーズに雌部１に差し込まれる。中間部２は、その前部２２が雌部１に挿入された後、その雌部１から露出する部分が上記第二パネル４を貫通することで、第二パネル５を第一パネル４と係合させる。そして、中間部２の挿入孔２１の後端から上記雄部３を挿入し、雄部３は上記挿入孔２１に挿入され且つ完全に上記挿入孔２１に収納された後、即ち挿入孔２１に詰み込まれた後、中間部２の前部２２がさらに径方向に縮小できなくなり、中間部２の前部２の外壁が雌部１の内壁にマッチし、上記位置決め環１３の制限によって中間部２は雌部１から脱出できないため、家具部材を強固に固定連結できる。
【００３８】
上記中間部２の後端部には径方向へ凸台２３が延設されている。上記雄部３の後端部には階段状の底板３１が設置され、上記底板３１の前端面は上記凸台２の的後端面と係合する。
【００３９】
上記凸台２３は、主な作用が位置決めであり、上記中間部２が軸方向に沿って前へ滑ることを防止することに用いられる。取付時、上記凸台２３の前端面は、第二パネル５の裏面に開設された且つ上記凸台２３にマッチする位置決め溝の溝底と係合するので、凸台２３は上記位置決め溝の溝底に制限され、上記中間部２は前へ滑られなく、このため、本考案の信頼性を向上させる。同様に、上記雄部３の階段状の底板３１の前端面は凸台２３の後端面と係合するため、底板３１は上記凸台２３の後端面によって制限され、上記雄部３は取付後に、前へ滑ることができない。上記の凸台２３と底板３１は何れも位置決め作用を有する。
【００４０】
図１１に示すように、上記雌部１は、上記取付孔４１の孔口４１１に位置する側が後端面１１６であり、上記後端面１１６が上記第一パネル４の高さと同じである。上記後端面１１６と上記中間部２後端面との距離は第二パネル５の厚さである。これにより、第一パネル４と第二パネル５とは上記家具用押込型連結部材を介して固定連結を行う時、第一パネル４と第二パネル５との間は隙間なく連結することができる。
【００４１】
図９に示すように、上記第二パネル５には、上記凸台２３と係合し上記凸台２３を収納する凹溝５１を設置することで、上記凸台２３と底板３１とを上記パネル内部に隠す。
【００４２】
図１０に示すように、上記第二パネル５が薄手である場合、上記後端面１１６と上記中間部２の凸台との間の距離は第二パネル５の厚さであり、この時、上記凸台２３が上記第二パネル５の表面に位置する。上記雌部の外壁には逆歯１１が設けられる。
【００４３】
図１１に示すように、上記雌部１は、上記取付孔４１の底に挿入する側には、上記係止孔１４を密封するための一つのシール蓋１８を有する。
【００４４】
図１２に示すように、上記中間部２の外壁には、中間部２と雌部１又は取付孔との間の摩擦力を増大させる係止点３５を設置することで、中間部２が挿入孔２１から容易に脱出できない。
【００４５】
図９、図１０と図１３に示すように、上記雄部３の外壁には凸点３４が設けられる。凸点３４は、雄部３が中間部２の挿入孔２１に差し込まれた後、雄部３と挿入孔２１内壁との摩擦力を増大させ、雄部２１が挿入孔２１から容易に脱出できない。
【００４６】
上記の内容は、具体的な好ましい実施形態に基づき本考案をさらに説明するものであるが、本考案は具体的な実施形態に限定されるものであるとは認定できない。当業者は、本考案の思想を逸脱なければ、種々の仕組みの変化をすることによって派生製品を開発できる。簡単に派生したり取り替えたりして考案したものは、本考案の保護範囲内のものである。
【符号の説明】
【００４７】
１ 雌部
１１ 逆歯
１１２ 側端面
１１５ 先端面
１１６ 後端面
１２ 位置決め用階段部
１３ 位置決め環
１３１ 斜辺
１４ 係止孔
１６ 調整溝
１７ 位置決め用階段部
１８ シール蓋
２ 中間部
２１ 挿入孔
２２ 前部
２２１ 切欠溝
２３ 凸台
２３１ 保護壁
２４ 中間部ガード部
３ 雄部
３１ 底板
３２ 雄部ガード部
３３ 咬合スレッド
３４ 凸点
３５ 係止点
４ 第一パネル
４１ 取付孔
５ 第二パネル
５１ 凹溝
【図１】
0003176019.tif 000003
【図２】
0003176019.tif 000004
【図３】
0003176019.tif 000005
【図４】
0003176019.tif 000006
【図５】
0003176019.tif 000007
【図６】
0003176019.tif 000008
【図７】
0003176019.tif 000009
【図８】
0003176019.tif 000010
【図９】
0003176019.tif 000011
【図１０】
0003176019.tif 000012
【図１１】
0003176019.tif 000013
【図１２】
0003176019.tif 000014
【図１３】
0003176019.tif 000015